(57)【要約】      （修正有）【課題】装置本体を設置する際に、手動による人感センサの調整作業を不要にできる表示装置を提供する。【解決手段】ＣＰＵ１０１は、装置本体を設置する前の位置から設置場所まで移動した状態で、装置本体が設置された設置位置を判定する。ＣＰＵ１０１は、判定された設置位置に基づいて人感センサ８の検出範囲を調整する。その結果、表示装置等の装置を設置する際に、自動で人感センサの検出範囲を設定することができるので、手動による人感センサの調整作業を不要にし、装置本体の設置作業効率を向上させることができる。【選択図】図２
2014178507.tif 000002
【特許請求の範囲】
【請求項１】
表示部と人感センサとを備えた表示装置であって、
装置本体を設置する前の位置から設置場所まで移動した状態で、装置本体が設置された設置位置を判定する判定手段と、
前記判定手段により判定された設置位置に基づいて前記人感センサの検出範囲を調整する調整手段と、
を備えたことを特徴とする表示装置。
【請求項２】
前記装置本体を設置する前の位置からの前記装置本体の移動量を測定する移動量測定手段を備え、
前記判定手段は、前記移動量測定手段による測定結果に基づいて前記装置本体が設置された設置位置を判定することを特徴とする請求項１に記載の表示装置。
【請求項３】
前記装置本体を設置する位置を入力する入力手段を備え、
前記判定手段は、前記入力手段によって入力された位置に基づいて前記装置本体が設置された設置位置を判定することを特徴とする請求項１に記載の表示装置。
【請求項４】
前記装置本体が設置された複数の設置位置のそれぞれについて前記人感センサの検出範囲の設定内容が対応付けられたテーブルを記憶する記憶手段を備え、
前記調整手段は、前記判定手段によって判定された設置位置に対応する人感センサの検出範囲の設定内容を前記記憶手段に記憶されたテーブルから読み出し、該読み出した設定内容となるように前記人感センサの検出範囲を調整することを特徴とする請求項１〜３の何れか一項に記載の表示装置。
【請求項５】
前記人感センサを前記装置本体に取り付けると共に、
前記装置本体の向きを変更するための本体駆動手段を備え、
前記調整手段は、前記本体駆動手段によって前記装置本体の向きを変更させることにより前記人感センサの検出範囲を調整することを特徴とする請求項１〜４の何れか一項に記載の表示装置。
【請求項６】
前記人感センサの向きを変更するためのセンサ駆動手段を備え、
前記調整手段は、前記センサ駆動手段によって前記人感センサの向きを変更させることにより前記人感センサの検出範囲を調整することを特徴とする請求項１〜４の何れか一項に記載の表示装置。
【請求項７】
コンピュータを、
装置本体を設置する前の位置から設置場所まで移動した状態で、装置本体が設置された設置位置を判定する判定手段、
前記判定手段により判定された設置位置に基づいて人感センサの検出範囲を調整する調整手段、
として機能させるためのプログラム。
【発明の詳細な説明】
【技術分野】
【０００１】
本発明は、表示装置及びプログラムに関する。
【背景技術】
【０００２】
従来、人感センサが利用される装置としては、例えば、人が特定の範囲に入ったときに人感センサが人を検出して表示画面をＯＮにする受付端末や、人が特定の範囲に入ると自動的に照明を点灯させるガレージ照明などがあった。
【０００３】
このような装置では、人が対面に来るのが前提であるので、そのような位置で人感センサが検出できるように、予め決まった距離及び角度を合わせて人感センサを設置しているのがほとんどであった（例えば、特許文献１）。
【先行技術文献】
【特許文献】
【０００４】
【特許文献１】特開２００８−２９８９７４号公報
【発明の概要】
【発明が解決しようとする課題】
【０００５】
しかしながら、上述したような装置は、常に一定の位置に設置されるとは限らず、例えば、高所に設置される場合もある。このような場合、上記特許文献１に記載された技術では、装置の設置位置によっては、人感センサの検出範囲が人の検出を所望とする範囲外となってしまい、人感センサを適切に機能させることができない。すなわち、例えば、図１０に示すように、人感センサ１００１を備えた表示装置１０００が低所（位置Ａ）に設置されている場合には、人感センサ１００１の検出範囲は図中Ｒ１で示す範囲となり、所定の位置にいる人Ｐを検知することができるが、表示装置１０００が高所（位置Ｂ）に設置されている場合には、人感センサ１００１の検出範囲は図中Ｒ２で示す範囲となり、所定の位置にいる人Ｐを検知することができない。
そのため、装置を設置した後は、人を検出することができるような検出範囲となるように人感センサの位置を手動にて調整する必要があるため、大変煩わしいものである。
【０００６】
本発明の課題は、装置本体を設置する際に、手動による人感センサの調整作業を不要にすることである。
【課題を解決するための手段】
【０００７】
以上の課題を解決するため、請求項１に記載の発明は、表示部と人感センサとを備えた表示装置であって、装置本体を設置する前の位置から設置場所まで移動した状態で、装置本体が設置された設置位置を判定する判定手段と、前記判定手段により判定された設置位置に基づいて前記人感センサの検出範囲を調整する調整手段と、を備えたことを特徴とする。
【発明の効果】
【０００８】
本発明によれば、装置本体を設置する際に、手動による人感センサの調整作業を不要にすることができる。
【図面の簡単な説明】
【０００９】
【図１】表示装置の外観を示す図である。
【図２】表示装置の回路構成を示すブロック図である。
【図３】人感センサの回路構成を示すブロック図である。
【図４】人感センサの検出範囲について説明する図である。
【図５】人感センサの検出範囲内における検知信号の変化について説明する図である。
【図６】高さ測定処理について説明するフローチャートである。
【図７】角度調整処理について説明するフローチャートである。
【図８】角度設定テーブルについて説明する図である。
【図９】表示装置の動作について説明する図である。
【図１０】従来の装置における人感センサの検出範囲について説明する図である。
【発明を実施するための形態】
【００１０】
以下、図面を参照して本発明に係る実施の形態を詳細に説明する。ただし、発明の範囲は、図示例に限定されない。なお、以下の説明において、同一の機能及び構成を有するものについては、同一の符号を付し、その説明を省略する。
【００１１】
本実施の形態に係る表示装置１の外観構成について図１を参照しながら説明する。この表示装置１は、例えば、サイネージとして利用できるものである。なお、図１（Ａ）は、表示装置１の正面図であり、図１（Ｂ）は、表示装置１の右側面図である。
【００１２】
図１（Ａ）に示すように、表示装置１の正面には、装置本体２に保持された液晶表示パネル３によって構成される表示部が設けられている。この液晶表示パネル３にはタッチパネル５が一体的に構成されており、指でタッチすることにより操作可能となっている。装置本体２の側面にはメモリカードスロット６が設けられている。さらに、装置本体２の上部中央には人感センサ８が設けられている。表示装置１は垂直方向に延設された円柱状の支柱Ｓによって支持されている。
【００１３】
具体的には、図１（Ｂ）に示すように、表示装置１の背面には、回動軸１０を支持するための半楕円形状の膨出部９が後方に膨出して一体に設けられている。回動軸１０は、本体用チルトモータ２０（図２参照）に接続されている。表示装置１は、本体用チルトモータ２０の駆動により回動軸１０を支軸として上下方向に回動（傾斜）することができる。また、表示装置１の背面には、支柱Ｓに表示装置１を支持するための支持部１１が後方に突出して設けられている。支持部１１の後部には、支柱Ｓを垂直方向に貫通させるための貫通孔が設けられている。また、支持部１１の後端部には、支持部１１を支柱Ｓに固定させるための固定ネジ１２が螺着されており、この固定ネジ１２をねじ込むことにより、支持部１１を支柱Ｓに支持させることができる。固定ネジ１２を緩めると、支持部１１が支柱Ｓに対して垂直方向に摺動自在となるので、この状態で表示装置１の設置高さを自由に変更することができる。人感センサ８は、基部に回動軸８ｆが設けられている。回動軸８ｆは、センサ用チルトモータ２１（図２参照）に接続されている。人感センサ８は、センサ用チルトモータ２１の駆動により回動軸８ｆを支軸として上下方向に回動することができる。
【００１４】
表示装置１は、例えば、図２に示すように、ＣＰＵ（Central Processing Unit）１０１と、ＣＰＵ１０１に接続されたＲＯＭ（Read Only Memory）１０２と、ＲＡＭ（Random Access Memory）１０３と、内部メモリ１０４とを備え、ＲＯＭ１０２には、ＣＰＵ１０１に後述するフローチャートに示す動作を行わせるためのプログラムや、後述する角度設定テーブル等の各種データが記憶されている。
【００１５】
ＲＡＭ１０３は、ＣＰＵ１０１が必要に応じて種々のデータを一時的に記憶する作業用のメモリである。
【００１６】
内部メモリ１０４は、ハードディスク又はフラッシュメモリによる大容量不揮発性メモリであり、各種データを保存可能となっている。
【００１７】
表示制御部１０６は、ＣＰＵ１０１から供給される表示用の画像データに基づいて液晶表示パネル３を駆動することにより、画像や各種メニューを液晶表示パネル３に表示させる。
【００１８】
キー入力制御部１０７は、ＣＰＵ１０１の制御に基づいてタッチパネル５の操作信号を入力するものである。
【００１９】
メモリカードインターフェース１０８は、メモリカードスロット６に着脱自在に装着された各種のメモリカード６０と、ＣＰＵ１０１との間におけるデータの入出力を制御する入出力インターフェースである。
【００２０】
人感センサ８は、ＣＰＵ１０１に接続され、所定範囲における人体の存在を検出するものである。本実施の形態では、例えば、この検出範囲に人がいない状態が所定時間以上続いたときに自動的に電源を切って節電を図ることができる（オートパワーオフ）。
【００２１】
人感センサ８は、例えば、図３に示すように、レンズ８ａと、センサ部８ｂと、増幅回路８ｃと、コンパレータ８ｄとが設けられ、この順に接続されている。
人Ｐから発せられる遠赤外線Ｆがレンズ８ａにより集光されると、この遠赤外線Ｆがセンサ部８ｂに入力される。センサ部８ｂは、例えば、焦電センサによって構成されており、入力した赤外線を電圧に変換する。増幅回路８ｃは、センサ部８ｂから出力された電圧を増幅してコンパレータ８ｄに出力する。コンパレータ８ｄは、増幅回路８ｃから出力された電圧を閾値と比較し、閾値を超えた場合に検知信号をＣＰＵ１０１に出力する。本実施の形態における人感センサ８の検出範囲は、例えば、垂直方向では、図４（Ａ）に示すように、上下それぞれ５０度ずつであり、水平方向では、図４（Ｂ）に示すように、左右それぞれ５５度ずつであるが、人感センサの検出範囲は性能に応じて異なる。人感センサ８は、上述したように構成されているので、例えば、図５（Ａ）に示すように、人Ｐが人感センサ８の検出範囲Ｒ外から検出範囲Ｒ内に入ると、図５（Ｂ）に示すように、そのタイミング（ｔ１）でコンパレータ８ｄからＣＰＵ１０１に検知信号が出力される。また、人Ｐが人感センサ８の検出範囲Ｒ内から検出範囲Ｒ外に移動すると、そのタイミング（ｔ２）でコンパレータ８ｄからＣＰＵ１０１への検知信号の出力が停止される。このように、本実施の形態では、上述した構成により、所定範囲に人が存在したときにこれを検出することができる。
【００２２】
図２に示すように、通信制御部３０は、電話回線３１又は無線ＬＡＮ３２を経由してネットワークＮに接続されている。通信制御部３０は、データの送受信を含む通信制御を行う。
【００２３】
ネットワークＮにはバックアップサーバ４０、配信コンテンツサーバ５０及びパーソナルコンピュータ７０が接続されている。
【００２４】
バックアップサーバ４０は、例えば、自動的に又は手動指示により内部メモリ１０４に記録されたデータのバックアップを行う。
配信コンテンツサーバ５０は、例えば、多数のコンテンツや画像データを有しており、ネットワークＮを介して表示装置１にデータを配信することができる。
パーソナルコンピュータ７０は、例えば、表示装置１では設定できない複雑な設定等を行うことができる。
【００２５】
また、ＣＰＵ１０１には電源制御部８０が接続されており、電源プラグ８１を介してＡＣ電源を取り入れ、ＡＣ／ＤＣ変換を行って各部に電力を供給する。本実施の形態では、上述したオートパワーオフの制御を行うことができる。
【００２６】
また、本実施の形態では、さらに、加速度センサ１３、本体用チルトモータ２０及びセンサ用チルトモータ２１がＣＰＵ１０１に接続されている。
【００２７】
加速度センサ１３は、例えば、ピエゾ抵抗型あるいは静電容量検出型等の加速度センサであり、表示装置１に加わる加速度を検出する。そして、加速度センサ１３は、検出した加速度を示す信号をＣＰＵ１０１に出力する。ＣＰＵ１０１は、加速度センサ１３から入力される加速度を示す信号に基づいて、表示装置１の移動量を求めることができる。すなわち、加速度センサ１３及びＣＰＵ１０１は、基準位置からの人感センサ８の移動量を測定する移動量測定手段として機能する。なお、本実施の形態では、表示装置１の移動量を求めることができるものであれば何れのものであってもよく、例えば、ジャイロセンサを用いるようにしてもよい。
【００２８】
本体駆動手段としての本体用チルトモータ２０及びセンサ駆動手段としてのセンサ用チルトモータ２１は、例えば、ステッピングモータによって構成されており、ＣＰＵ１０１からパルス状の駆動信号を受けて任意の角度に回転することができる。
【００２９】
次に、上述のようにして構成された表示装置１のＣＰＵ１０１にて実行される高さ測定処理について図６を参照しながら説明する。高さ測定処理は、例えば、表示装置１に電源が投入されたときに実行される。
【００３０】
まず、ＣＰＵ１０１は、基準位置の設定を行う（ステップＳ１０１）。具体的には、表示装置１を支柱Ｓの最も低い位置（例えば、高さ０ｃｍ）に配置し、この位置を基準位置として設定する。
【００３１】
次に、ＣＰＵ１０１は、加速度センサ１３からの信号に基づいて、Ｚ軸方向（垂直方向）の移動量を測定する（ステップＳ１０２）。具体的には、表示装置１を基準位置から支柱Ｓに沿って垂直方向に移動させると、その移動速度に応じた信号が加速度センサ１３からＣＰＵ１０１に出力される。ＣＰＵ１０１は、時間と入力した信号から求められる加速度から移動量を計算する。
【００３２】
ＣＰＵ１０１は、上述したようにして計算した移動量から基準位置に対する高さを算出する（ステップＳ１０３）。すなわち、ＣＰＵ１０１は、人感センサ８の所定の基準位置に対する相対的な位置を判定する位置判定手段として機能する。そして、ＣＰＵ１０３は、このようにして算出した高さのデータ（高さデータ）をＲＡＭ１０３に保存する（ステップＳ１０４）。なお、本実施の形態において、例えば、タッチパネル５やパーソナルコンピュータ７０あるいはリモコン等の入力手段を用いて高さデータを直接入力するようにしてもよい。すなわち、タッチパネル５、パーソナルコンピュータ７０あるいはリモコン等により、人感センサ８を設置する位置を入力する入力手段として機能させるようにしてもよい。ＣＰＵ１０１は、上述した処理を行った後、高さ測定処理を終了する。
【００３３】
次に、表示装置１のＣＰＵ１０１にて実行される角度調整処理について図７を参照しながら説明する。角度調整処理は、例えば、タッチパネル５における所定の操作やパーソナルコンピュータ７０による遠隔操作が行われることにより実行される。
【００３４】
まず、ＣＰＵ１０１は、ＲＡＭ１０３に保存されている高さデータを読み出す（ステップＳ２０１）。
【００３５】
次に、ＣＰＵ１０１は、表示装置１の傾斜角度を決定する（ステップＳ２０２）。具体的には、ＣＰＵ１０１は、図８に示すようなＲＯＭ１０２に記憶された角度設定テーブルを参照し、高さデータに対応する傾斜角度を読み出す。例えば、図８に示すように、高さデータ（ｈ）が８０ｃｍ以下の場合は、傾斜角度として０°が読み出される。また、高さデータ（ｈ）が８０ｃｍよりも大きく１８０ｃｍ以下の場合は、傾斜角度として２０°が読み出される。また、高さデータ（ｈ）が１８０ｃｍよりも大きい場合は、傾斜角度として４５°が読み出される。ＣＰＵ１０１は読みだした傾斜角度を表示装置１の傾斜角度として決定する。このように、ＲＯＭ１０２は、基準位置に対する複数の相対的位置のそれぞれについて人感センサ８の検出範囲の設定内容（表示装置１の傾斜角度）が対応付けられたテーブルを記憶する記憶手段として機能する。
【００３６】
ＣＰＵ１０１は、本体用チルトモータ２０を駆動して決定した傾斜角度だけ回動軸１０を回転させることにより表示装置１を傾斜させる（ステップＳ２０３）。これにより、人感センサ８の向きも傾斜した角度だけ変更され、人感センサ８の検出範囲を変更することができる。すなわち、ＣＰＵ１０１は、位置判定手段によって判定された位置に応じて人感センサ８の検出範囲を設定する検出範囲設定手段として機能する。なお、本実施の形態において、センサ用チルトモータ２１を駆動して決定した傾斜角度だけ回動軸８ｆを回転させることにより人感センサ８の向きを変更するようにしてもよい。ＣＰＵ１０１は、上述した処理を行った後、角度調整処理を終了する。
【００３７】
上述のようにして構成された表示装置１の動作について、図９を参照しながら説明する。
【００３８】
まず、上述したようにして表示装置１の基準位置（高さ０ｃｍ）を設定した後、表示装置１を位置Ｘ（高さ８０ｃｍ）まで移動させた場合、基準位置からの移動量は８０ｃｍであるので、表示装置１の傾斜角度は０°となる。したがって、人感センサ８の向きは水平であり、検出範囲はＲ１１で示される範囲となる。
【００３９】
また、表示装置１を位置Ｙ（高さ１８０ｃｍ）まで移動させた場合、基準位置からの移動量は１８０ｃｍであるので、表示装置１の傾斜角度は２０°となる。したがって、人感センサ８の向きも２０°下方に傾斜し、検出範囲はＲ１２で示された範囲となり、例えば、表示装置１よりも下方にいる人Ｐを検出できるようになる。
【００４０】
また、表示装置１を位置Ｚ（高さ２５０ｃｍ）まで移動させた場合、基準位置からの移動量は２５０ｃｍであるので、表示装置１の傾斜角度は４５°となる。したがって、人感センサ８の向きも４５°下方に傾斜し、検出範囲はＲ１３で示された範囲となり、例えば、表示装置１よりも下方にいる人Ｐを検出できるようになる。
【００４１】
以上説明したように、本実施の形態によれば、ＣＰＵ１０１は、装置本体２を設置する前の位置から設置場所まで移動した状態で、装置本体２が設置された設置位置を判定する。ＣＰＵ１０１は、判定された設置位置に基づいて人感センサ８の検出範囲を調整する。その結果、表示装置等の装置を設置する際に、自動で人感センサの検出範囲を設定することができるので、手動による人感センサの調整作業を不要にし、装置本体の設置作業効率を向上させることができる。これにより、短時間での装置本体の設置作業の完了を実現することが可能となる。
【００４２】
また、本実施の形態によれば、加速度センサ１３及びＣＰＵ１０１は、装置本体２を設置する前の位置からの装置本体２の移動量を測定する。ＣＰＵ１０１は、測定結果に基づいて装置本体２が設置された設置位置を判定する。その結果、装置本体の位置を正確に測定することができ、人感センサの調整を正確に行うことができるようになる。
【００４３】
また、本実施の形態によれば、タッチパネル５（パーソナルコンピュータ７０又はリモコン）は、装置本体２を設置する位置を入力する。ＣＰＵ１０１は、入力された位置に基づいて装置本体２が設置された設置位置を判定する。その結果、装置本体の位置を簡便に設定することができるようになる。
【００４４】
また、本実施の形態によれば、ＲＯＭ１０２は、装置本体２が設置された複数の設置位置のそれぞれについて人感センサ８の検出範囲の設定内容が対応付けられたテーブルを記憶する。ＣＰＵ１０１は、判定された設置位置に対応する人感センサ８の検出範囲の設定内容をＲＯＭ１０２に記憶されたテーブルから読み出し、読み出した設定内容となるように人感センサ８の検出範囲を調整する。その結果、簡素な制御で人感センサの検出範囲の調整を行わせることができるようになる。
【００４５】
また、本実施の形態によれば、人感センサ８は装置本体２に取り付けられる。本体用チルトモータ２０は、装置本体２の向きを変更する。ＣＰＵ１０１は、本体用チルトモータ２０によって装置本体２の向きを変更させることにより人感センサ８の検出範囲を調整する。その結果、人感センサの調整とともに、装置本体の位置を適正に調整することができるようになる。
【００４６】
また、本実施の形態によれば、センサ用チルトモータ２１は、人感センサ８の向きを変更する。ＣＰＵ１０１は、センサ用チルトモータ２１によって人感センサ８の向きを変更させることにより人感センサ８の検出範囲を調整する。その結果、人感センサの調整を容易に行わせることができるようになる。
【００４７】
なお、上記実施形態における記述内容は、本発明に係る表示装置の好適な一例であり、これに限定されるものではない。
【００４８】
また、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００４９】
その他、表示装置を構成する各装置の細部構成及び細部動作に関しても、発明の趣旨を逸脱することのない範囲で適宜変更可能である。
【００５０】
また、本実施の形態では、表示装置１の垂直方向への移動量に応じて表示装置１又は人感センサ８の傾斜角度を変更するようにしたが、表示装置１の水平方向への移動量あるいは垂直方向及び水平方向への移動量に応じて表示装置１又は人感センサ８の傾斜角度を変更するように構成されていてもよい。例えば、表示装置１が基準位置に対して水平方向に移動させた場合、その移動量に応じて表示装置１を左右方向に傾斜させるようにしてもよい。
【００５１】
また、本実施の形態では、人体検出装置を表示装置に組み込んだ例を説明したが、人体検出装置を組み込む装置はこれに限定されず、例えば、ガレージなどに設置される自動点灯機能を有する照明装置等に組み込むことも可能である。
【００５２】
本発明の実施の形態及び変形例を説明したが、本発明の範囲は、上述の実施の形態及び変形例に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
表示部と人感センサとを備えた表示装置であって、
装置本体を設置する前の位置から設置場所まで移動した状態で、装置本体が設置された設置位置を判定する判定手段と、
前記判定手段により判定された設置位置に基づいて前記人感センサの検出範囲を調整する調整手段と、
を備えたことを特徴とする表示装置。
＜請求項２＞
前記装置本体を設置する前の位置からの前記装置本体の移動量を測定する移動量測定手段を備え、
前記判定手段は、前記移動量測定手段による測定結果に基づいて前記装置本体が設置された設置位置を判定することを特徴とする請求項１に記載の表示装置。
＜請求項３＞
前記装置本体を設置する位置を入力する入力手段を備え、
前記判定手段は、前記入力手段によって入力された位置に基づいて前記装置本体が設置された設置位置を判定することを特徴とする請求項１に記載の表示装置。
＜請求項４＞
前記装置本体が設置された複数の設置位置のそれぞれについて前記人感センサの検出範囲の設定内容が対応付けられたテーブルを記憶する記憶手段を備え、
前記調整手段は、前記判定手段によって判定された設置位置に対応する人感センサの検出範囲の設定内容を前記記憶手段に記憶されたテーブルから読み出し、該読み出した設定内容となるように前記人感センサの検出範囲を調整することを特徴とする請求項１〜３の何れか一項に記載の表示装置。
＜請求項５＞
前記人感センサを前記装置本体に取り付けると共に、
前記装置本体の向きを変更するための本体駆動手段を備え、
前記調整手段は、前記本体駆動手段によって前記装置本体の向きを変更させることにより前記人感センサの検出範囲を調整することを特徴とする請求項１〜４の何れか一項に記載の表示装置。
＜請求項６＞
前記人感センサの向きを変更するためのセンサ駆動手段を備え、
前記調整手段は、前記センサ駆動手段によって前記人感センサの向きを変更させることにより前記人感センサの検出範囲を調整することを特徴とする請求項１〜４の何れか一項に記載の表示装置。
＜請求項７＞
コンピュータを、
装置本体を設置する前の位置から設置場所まで移動した状態で、装置本体が設置された設置位置を判定する判定手段、
前記判定手段により判定された設置位置に基づいて人感センサの検出範囲を調整する調整手段、
として機能させるためのプログラム。
【符号の説明】
【００５３】
１  表示装置
２  装置本体
５  タッチパネル
８  人感センサ
１３  加速度センサ
２０  本体用チルトモータ
２１  センサ用チルトモータ
７０  パーソナルコンピュータ
１０１  ＣＰＵ
１０２  ＲＯＭ
【図１】
2014178507.tif 000003
【図２】
2014178507.tif 000004
【図３】
2014178507.tif 000005
【図４】
2014178507.tif 000006
【図５】
2014178507.tif 000007
【図６】
2014178507.tif 000008
【図７】
2014178507.tif 000009
【図８】
2014178507.tif 000010
【図９】
2014178507.tif 000011
【図１０】
2014178507.tif 000012